(57)【要約】【課題】ペットの運搬ケースとして、かつペットハウスとしても好適なペットキャリーボックスを提供することを目的としている。【解決手段】本発明に係るペットキャリーボックス１は、天井部３と、床部５と、側壁部７と、正面部９と、背面部１１とを備えたペットキャリーボックス１であって、正面部９は開閉自在かつ着脱自在の扉体３１と扉体３１を保持する正面側保持部３３を有し、背面部１１には正面側保持部３３から取り外した扉体３１を着脱自在に保持する背面側保持部４５が設けられていることを特徴とするものである。【選択図】  図１
2015000738.tif 000002
【特許請求の範囲】
【請求項１】
天井部と、床部と、側壁部と、正面部と、背面部とを備えたペットキャリーボックスであって、
前記正面部は開閉自在かつ着脱自在の扉体と該扉体を保持する正面側保持部を有し、前記背面部又は前記天井部には前記正面側保持部から取り外した前記扉体を着脱自在に保持する扉体保持部が設けられていることを特徴とするペットキャリーボックス。
【請求項２】
前記扉体保持部に、前記扉体を収納する凹陥面部を設けたことを特徴とする請求項１記載のペットキャリーボックス。
【請求項３】
前記正面側保持部と前記扉体保持部とは、前記扉体を保持する保持構造が同一であることを特徴とする請求項１又は２に記載のペットキャリーボックス。
【請求項４】
前記正面側保持部は枠体からなり、該枠体は上辺又は下辺を軸として内側に回動可能に取り付けられ、前記背面部は上辺又は下辺を軸として内側に回動可能に取り付けられ、前記側壁部は内側に向かって折り畳み可能に構成されていることを特徴とする請求項１乃至３のいずれか一項に記載のペットキャリーボックス。
【発明の詳細な説明】
【技術分野】
【０００１】
本発明は、小型・中型の犬、または猫・ウサギ等のペットを入れて運搬するためのペットキャリーボックスに関する。
【背景技術】
【０００２】
犬・猫等の動物を入れて運搬するペットキャリーボックスとして、例えば特許文献１に開示の「折畳式ペットキャリーボックス」がある。
特許文献１に開示の「折畳式ペットキャリーボックス」は、天井部と床部とを、折曲部を介して内向きに折り畳み可能な一対の側壁部により連結すると共に、前後の扉体を揺動可能に取り付けている。
特許文献１においては、上記の構造を採用することで、簡易な動作によってコンパクトに折り畳むことができるとしている。
【先行技術文献】
【特許文献】
【０００３】
【特許文献１】特許第４７７１３４７号公報
【発明の概要】
【発明が解決しようとする課題】
【０００４】
ペットキャリーボックスは、主としてペットを収容して運搬するためのものであるが、自宅等において、ペットハウスとして利用したいという要請がある。
しかしながら、特許文献１の折畳式ペットキャリーボックスは、扉体を開閉できるが取り外すことができないため、ハウスとして利用する際には、扉を開けた状態で、紐等で扉を保持して扉が閉まらないようにする必要がある。しかし、扉を開けた状態にすることで、扉の分だけ場所を占有することになるし、見栄えもわるい。
このように、特許文献１のものは、ペットを運搬するよりもハウスとして利用する期間が圧倒的に長いにも関わらず、見栄えが悪く、場所も取るという問題がある。
【０００５】
仮に、扉体を着脱自在にして、ハウスとして利用するとしても、取り外した扉体を保管しておく必要がある。
しかしながら、ハウスとして利用する期間が長くなると、取り外した扉体をどこに保管したかを忘れてしまうという問題もある。
このように、従来のペットキャリーボックスは、ハウスとして兼用するには必ずしも好適でない。
【０００６】
本発明はかかる課題を解決するためになされたものであり、ペットの運搬用のボックスとして利用でき、かつペットハウスとしても好適なペットキャリーボックスを提供することを目的としている。
【課題を解決するための手段】
【０００７】
（１）本発明に係るペットキャリーボックスは、天井部と、床部と、側壁部と、正面部と、背面部とを備えたペットキャリーボックスであって、
前記正面部は開閉自在かつ着脱自在の扉体と該扉体を保持する正面側保持部を有し、前記背面部又は前記天井部には前記正面側保持部から取り外した前記扉体を着脱自在に保持する扉体保持部が設けられていることを特徴とするものである。
【０００８】
（２）また、上記（１）に記載のものにおいて、前記扉体保持部に、前記扉体を収納する凹陥面部を設けたことを特徴とするものである。
【０００９】
（３）また、上記（１）又は（２）に記載のものにおいて、前記正面側保持部と前記扉体保持部とは、前記扉体を保持する保持構造が同一であることを特徴とするものである。
【００１０】
（４）また、上記（１）乃至（３）に記載のものにおいて、前記正面側保持部は枠体からなり、該枠体は上辺又は下辺を軸として内側に回動可能に取り付けられ、前記背面部は上辺又は下辺を軸として内側に回動可能に取り付けられ、前記側壁部は内側に向かって折り畳み可能に構成されていることを特徴とするものである。
【発明の効果】
【００１１】
本発明においては、正面部の扉体を着脱自在にして、取り外した扉体を背面部又は天井部の扉体保持部に着脱自在に保持できるようにしたので、ペットハウスとして利用する際には扉体を取り外し、該扉体を背面部又は天井部に保持しておくことができる。
そのため、ペットハウスとしての利用にも好適である。
【００１２】
また、正面側保持部は枠体からなり、該枠体は上辺又は下辺を軸として内側に回動可能に取り付けられ、前記背面部は上辺又は下辺を軸として内側に回動可能に取り付けられ、前記側壁部は内側に向かって折り畳み可能に構成されていることにより、ペットキャリーボックスが折畳可能になり、折畳時においてはコンパクトになる。しかも、正面部に扉体を着脱可能に保持する正面側保持部を枠体によって構成したことにより、ハウスとして利用する場合において、扉体を取り外しても、枠体が側壁部の折れ曲がりを防止する支持部材として機能するので、折畳可能でありながら、ハウスとしての形状を保持することができる。
【図面の簡単な説明】
【００１３】
【図１】本発明の一実施の形態に係るペットキャリーボックスの斜視図である。
【図２】本発明の一実施の形態に係るペットキャリーボックスに取り付ける扉体の斜視図である。
【図３】図２の扉体の一部の内部構造の説明図である。
【図４】図１のペットキャリーボックスの正面部から扉体を取り外した状態の斜視図である。
【図５】本発明の一実施の形態に係るペットキャリーボックスの扉体の開閉動作についての説明図である。
【図６】本発明の一実施の形態に係るペットキャリーボックスの正面部の枠体の回動についての説明図である（その１）。
【図７】本発明の一実施の形態に係るペットキャリーボックスの正面部の枠体の回動についての説明図である（その２）。
【図８】本発明の一実施の形態に係るペットキャリーボックスの背面部の説明図である。
【図９】本発明の一実施の形態に係るペットキャリーボックスの背面部に扉体を取り付けた状態の説明図である。
【図１０】本発明の一実施の形態に係るペットキャリーボックスの背面部の回動についての説明図である。
【図１１】本発明の一実施の形態に係るペットキャリーボックスの側壁部の折り畳みについての説明図である。
【図１２】本発明の一実施の形態に係るペットキャリーボックスの折り畳み状態の説明図である。
【発明を実施するための形態】
【００１４】
本実施の形態のペットキャリーボックス１は、図１に示すように、略矩形皿状の天井部３と、天井部３と同様の略矩形皿状の床部５と、天井部３と床部５とを連結する一対の側壁部７と、正面部９と、背面部１１（図９参照）とを有している。
ペットキャリーボックス１は、天井部３と床部５と側壁部７とで全体が所定の筒状に形成され、該筒状の両端の開口に正面部９と背面部１１とが設けられている。
各部の構造を詳細に説明する。
なお、以下の説明において、正面部９の幅方向をペットキャリーボックス１の左右方向とする。
【００１５】
＜天井部＞
天井部３の左右両側の中央には、ペットキャリーボックス１の折り畳み状態（詳細は後述する）を保持するためのスライド片１３が設けられている。スライド片１３は、一端に開口部１３ａを有する断面コ字状の有底枠体からなり、ペットキャリーボックス１の長手方向（図１中太矢印参照）にスライド可能になっている。
天井部３の上面には、吊り下げ用のハンドル１５が設けられている。
【００１６】
＜床部＞
床部５の外側壁における中央部には、天井部３のスライド片１３と係合するロック片１７が設けられている。ロック片１７は長手方向に沿って設けられた小片部からなり、一端がスライド片１３の開口部１３ａに挿入可能になっている。
【００１７】
＜側壁部＞
側壁部７は、図１、図４、図８、図９等に示すように、中央折曲部１９を介して連結される上側壁７ａと下側壁７ｂからなる。
上側壁７ａの上端部は、天井部３の左右縁部の下面に上側折曲部２５によって連結されている。同様に、下側壁７ｂの下端部は、床部５の左右縁部の上面に下側折曲部２７によって連結されている。
このように、側壁部７は中央折曲部１９、上側折曲部２５、下側折曲部２７によって内側に向かって折り畳み可能に構成されている。この点については後述する。
【００１８】
＜正面部＞
正面部９は、開閉自在かつ着脱自在の扉体３１と、扉体３１を保持する正面側保持部３３を有している。
扉体３１と正面側保持部３３について図１〜図７に基づいて詳細に説明する。
【００１９】
≪扉体≫
扉体３１は、図２に示すように、複数の線部材を有する格子状からなり、左右両側に一対の係止機構３５が設けられている。
係止機構３５は左右同一であるので一方の係止機構３５について詳細に説明する。
係止機構３５は、上下に対向配置された一対の操作部３５ａと、縦向き配置され一端が操作部３５ａに固定されて他端が扉体３１から出没可能に設けられた係止棒３５ｂと、一対の操作部３５ａ間に配置されて操作部３５ａを付勢するバネ３５ｃ（図３参照）と、操作部３５ａの一部やバネ３５ｃ等の収納スペースを形成する操作部カバー３５ｄおよび操作部ベース３５ｅを有している。
なお、図３は図２の操作部カバー３５ｄを取り外した状態を示したものである。
【００２０】
操作部カバー３５ｄおよび操作部ベース３５ｅは、扉体３１の前後に配置され、扉体３１を挟み込むようにして取り付けられている（図２参照）。
操作部３５ａは操作部ベース３５ｅに上下動可能に設けられており、操作部３５ａ同士は、バネ３５ｃによって上下方向に離されるように付勢されている。この状態において、係止棒３５ｂは、先端が扉体３１から突出するような長さに設定されている（出状態）。
操作部３５ａ同士を近づける方向に指で押し縮めれば、係止棒３５ｂの先端が扉体３１内に収まる位置に移動する（没状態）。
【００２１】
≪正面側保持部≫
正面側保持部３３は、図１に示すように、矩形状の枠体からなり枠内に扉体３１を取り付け可能になっている。
図１の正面側保持部３３から扉体３１を取り外した状態を図４に示す。
図４に示すように、正面側保持部３３の枠内周面における上辺および下辺には、扉体３１の係止棒３５ｂの先端の位置に対応して、係止棒３５ｂが挿入される係止孔３３ａが左右に一つずつ設けられている。
扉体３１は、各係止棒３５ｂを対応する係止孔３３ａに挿入することで正面側保持部３３に保持される。この状態で一方の係止機構３５を操作して係止棒３５ｂによる係止を解除すれば、図５に示すように、他方の係止機構３５の係止棒３５ｂを軸として扉体３１が回動可能になっており、扉体３１の開閉が行われる。
【００２２】
また、両方の係止機構３５の係止状態を解除すれば、正面側保持部３３から扉体３１を外すことができる。
このとき、扉体３１がなくとも枠体からなる正面側保持部３３が、側壁部７が折れ曲がらないように支持する支持部材として機能するので、ペットハウスとしての形状を保持することができる。
また、従来品のように扉を開けた状態で扉が閉まらないように紐等で保持しておくような必要がないため、ペットハウスとして見栄えもよく、場所を取ることもない。
【００２３】
正面側保持部３３の下端には、図６に示すように、床側ヒンジ部３７が設けられており、下辺を軸として内側に回動可能に床部５に取り付けられている。
正面側保持部３３の上辺には、天井側シャフト３９が左右方向にスライド可能に設けられており、天井側シャフト３９の先端が天井部３に設けられた天井側係止片４１と係止して正面側保持部３３の回動を止められるようになっている。
天井側シャフト３９は天井側操作部４３を図４中太矢印の方向にスライドさせることで係止状態を解除可能になっており、係止状態を解除すれば、図６および図７に示すように、正面側保持部３３を内側に倒すことができる。
【００２４】
＜背面部＞
次に背面部１１について、図８〜図１０に基づいて説明する。
背面部１１は、図８に示すように壁体からなる。
背面部１１には、正面部９から取り外した扉体３１を着脱自在に保持する背面側保持部４５が設けられている。背面側保持部４５は本発明の扉体保持部の一態様である。
背面側保持部４５は、扉体３１を収納可能な矩形状に凹陥してなる凹陥面部となっており、該凹陥面部の内周面における上辺および下辺には、扉体３１の係止棒３５ｂの先端の位置に対応して、係止棒３５ｂが挿入される係止孔４５ａが左右に一つずつ設けられている。
このように、背面側保持部４５を、扉体３１を収納可能な凹陥面部にしたことにより、扉体３１が外方に大きく突出することがなく、保持状態の扉体３１が邪魔にならず、また見栄えもよい。
また、背面側保持部４５における扉体３１の保持構造を、正面側保持部３３の保持構造と同一にしたので、扉体３１の背面側保持部４５への着脱方法が、正面側保持部３３への着脱方法と同様となり、操作性に優れる。
【００２５】
扉体３１を背面側保持部４５へ装着した状態を図９に示す。このように、ペットハウスとして利用する際に、取り外した扉体３１を背面部１１に保持しておくことができるため、ペットハウスとして利用が長期間にわたっても扉体３１を紛失する心配がない。
【００２６】
背面部１１の上端には、図１０に示すように、天井側ヒンジ部４７が設けられており、上辺を軸として内側に回動可能に天井部３に取り付けられている。
背面部１１の下辺には、正面側保持部３３と同様に、床側シャフト４９が左右方向にスライド可能に設けられており、床側シャフト４９の先端が床部５に設けられた床側係止片５１と係止して背面部１１の回動を止められるようになっている（図８参照）。
床側シャフト４９は、床側操作部５３を図８中太矢印の方向にスライドさせることで係止状態を解除可能になっており、係止状態を解除すれば、図１０に示すように、背面部１１を内側に回動させることができる。
【００２７】
以上のように構成された本実施の形態に係るペットキャリーの使用方法の一例を、ペットキャリーの動作と共に説明する。
図１に示す状態では、ペットキャリーとして使用できる。ペットキャリーとして使用する場合、扉体３１は、係止機構３５の一方のみの係止状態を解除すれば、他方の係止機構３５の係止棒３５ｂを軸に扉体３１が回動可能になる（図５参照）。このようにして、扉体３１が開閉される。
両方の係止機構３５を操作して扉体３１を取り外せば、ペットハウスとして使用できる（図４参照）。取り外した扉体３１は、図９に示すように、背面部１１の背面側保持部４５に取り付けておけば、扉体３１を紛失する心配がない。
【００２８】
ペットキャリーボックス１を折り畳む場合は、天井側操作部４３を操作して正面側保持部３３を内側に倒し（図６および図７参照）、さらに床側操作部５３を操作して背面部１１を内側に回動させる（図１０）。こうすることで、側壁部７は中央折曲部１９、上側折曲部２５、下側折曲部２７によって内側に向かって折り畳むことができる（図１１参照）。完全に折り畳んだ後は、スライド片１３をスライドさせて、スライド片１３の開口部１３ａにロック片１７の一端を挿入する。こうすることで、天井部３と床部５がロックされて、折り畳み状態を保持することができる。
【００２９】
以上のように、本実施の形態においては、正面部９の扉体３１を着脱自在にして、取り外した扉体３１を背面部１１の背面側保持部４５に着脱自在に保持できるようにしたことにより、従来品のように扉を開けた状態で扉が閉まらないように紐等で保持しておくような必要がないため、見栄えもよく、また場所も取ることもないため、ペットハウスとして好適である。
【００３０】
また、本実施の形態では、正面側保持部３３と背面部１１が内側に回動可能に取り付けられており、側壁部７は内側に向かって折り畳み可能に構成されていることにより、ペットキャリーボックス１をコンパクトに折り畳むことができる。
【００３１】
また、正面部９に扉体３１が取り付けられていない状態においては、枠体からなる正面側保持部３３が、側壁部７が折れ曲がらないように支持する支持部材として機能するので、ペットハウスとしての形状を保持することができる。
【００３２】
なお、上記の説明では、取り外した扉体３１を保持する扉体保持部として背面部１１に背面側保持部４５を設ける例を示したが、本発明はこれに限られるものではなく、扉体保持部を天井部３に設けてもよい。天井部３に扉体保持部を設ける場合にも、背面側保持部４５と同様に凹陥面部を設けるのが好ましい。また、天井部３に扉体保持部を設けた場合にも、扉体３１の保持構造を正面側保持部３３と同様の保持構造にするのが好ましい。
【００３３】
上記の説明では、正面側保持部３３は下辺を軸として回動可能に取り付けられている例（図６参照）を示したが、上辺を軸として回動可能に取り付けてもよい。また、同様に、上記では背面部１１は上辺を軸として回動可能に取り付けられている例（図１０参照）を示したが、下辺を軸として回動可能に取り付けてもよい。
【００３４】
また、上記の説明では、扉体３１を保持する背面側保持部４５の保持構造と正面側保持部３３の保持構造を同じ構造にした例を示したが、例えば背面側保持部４５における保持構造を正面側保持構造とは別の構造のものにしてもよい。もっとも、保持構造が同一である場合は、着脱方法も同じであるので、取扱いが簡便である。
さらに、上記の説明では、背面部１１は壁体としたが、正面部９と同様に枠体と扉体３１を設け、背面部１１を開閉自在の構造にしてもよい。
また、ペットキャリーボックス１は、折畳構造のものを説明したが折畳構造は必須ではない。
【符号の説明】
【００３５】
１  ペットキャリーボックス
３  天井部
５  床部
７  側壁部
７ａ  上側壁
７ｂ  下側壁
９  正面部
１１  背面部
１３  スライド片
１３ａ  開口部
１５  ハンドル
１７  ロック片
１９  中央折曲部
２５  上側折曲部
２７  下側折曲部
３１  扉体
３３  正面側保持部
３３ａ  係止孔
３５  係止機構
３５ａ  操作部
３５ｂ  係止棒
３５ｃ  バネ
３５ｄ  操作部カバー
３５ｅ  操作部ベース
３７  天井側ヒンジ部
３９  天井側シャフト
４１  天井側係止片
４３  天井側操作部
４５  背面側保持部
４５ａ  係止孔
４７  床側ヒンジ部
４９  床側シャフト
５１  床側係止片
５３  床側操作部
【図１】
2015000738.tif 000003
【図２】
2015000738.tif 000004
【図３】
2015000738.tif 000005
【図４】
2015000738.tif 000006
【図５】
2015000738.tif 000007
【図６】
2015000738.tif 000008
【図７】
2015000738.tif 000009
【図８】
2015000738.tif 000010
【図９】
2015000738.tif 000011
【図１０】
2015000738.tif 000012
【図１１】
2015000738.tif 000013
【図１２】
2015000738.tif 000014